(57)【要約】      （修正有）【課題】略側方の物体側からの光に起因する迷光を効果的に遮断し、フレアーやゴーストの発生を抑える。【解決手段】光学系が、反射屈折光学素子ＬＧ２を有するレンズ群と、該レンズ群よりも像側に配置され開口絞りＳを有するレンズ群を含み、前記反射屈折光学素子ＬＧ２は、前方の物体側に形成された第一面と、像側に形成された第二面と、前記第一面と前記第二面との間に全周面に形成された第三面を有し、前記第一面は、光軸を中心に形成された第一透過面と、該第一透過面の周囲に環状に形成され像側を向いた第一反射面を含み、前記第二面は、光軸を中心に形成された第二透過面と、該第二透過面の周囲に環状に形成され前方の物体側を向いた第二反射面を含み、前記第三面は、透過面であり、前記開口絞りＳの近傍に、内径が遮光性材料により形成され前記開口絞りＳの内径より大きく前記鏡筒の内径より小さい環状の遮光部材Ｆを備える。【選択図】図１
2010256472.tif 000002
【特許請求の範囲】
【請求項１】
前方の物体と略側方の物体とを観察するための光学系と、前記光学系を保持する鏡筒と、撮像素子と、を備えた光学ユニットにおいて、
前記光学系が、反射屈折光学素子を有するレンズ群と、該反射屈折光学素子を有するレンズ群よりも像側に配置されていて開口絞りを有するレンズ群と、を含んでおり、
前記反射屈折光学素子は、前方の物体側に形成された第一面と、像側に形成された第二面と、前記第一面と前記第二面との間において全周面にわたって形成された第三面と、を有しており、
前記第一面は、光軸を中心に形成された第一透過面と、該第一透過面の周囲に環状に形成され像側を向いた第一反射面と、を含んでおり、
前記第二面は、光軸を中心に形成された第二透過面と、該第二透過面の周囲に環状に形成され前方の物体側を向いた第二反射面と、を含んでおり、
前記第三面は、透過面であり、
前記開口絞りの近傍には、遮光性材料により形成されていて、前記開口絞りの内径よりも大きく前記鏡筒の内径よりも小さい内径を有する環状の遮光部材を備えていることを特徴とする光学ユニット。
【請求項２】
前方の物体側からの光は、前記第一透過面に入射した後に、前記第二透過面から像側へ出射され、
略側方の物体側からの光は、前記第三面に入射した後に、前記第二反射面と前記第一反射面とで順に反射され、前記第二透過面から像側へ出射されることを特徴とする請求項１に記載の光学ユニット。
【請求項３】
前記反射屈折光学素子を有するレンズ群の前方の物体側に、負の屈折力を持つレンズ群が配置されており、
前記反射屈折光学素子を有するレンズ群よりも像側に配置されたレンズ群が、正の屈折力を持つことを特徴とする請求項１又は２に記載の光学ユニット。
【請求項４】
前記開口絞りと、前記遮光部材とが一体的に形成されていることを特徴とする請求項１乃至３のいずれか１項に記載の光学ユニット。
【請求項５】
前記鏡筒の外周面と、前記第三面と、により外周面が構成されていることを特徴とする請求項１乃至４のいずれか１項に記載の光学ユニット。
【請求項６】
前記撮像素子が、前記鏡筒に保持されていることを特徴とする請求項１乃至５のいずれか１項に記載の光学ユニット。
【請求項７】
前記鏡筒が、前記反射屈折光学素子よりも像側に配置されたレンズ群を保持する内筒と、該内筒を保持する外筒とからなり、
前記遮光部材が、前記内筒と一体的に形成されていることを特徴とする請求項１乃至６のいずれか１項に記載の光学ユニット。
【請求項８】
前記鏡筒が、遮光性材料により形成されていることを特徴とする請求項７項に記載の光学ユニット。
【請求項９】
前記遮光部材の外径が、前記鏡筒の内径と略一致していることを特徴とする請求項１乃至８のいずれか１項に記載の光学ユニット。
【発明の詳細な説明】
【技術分野】
【０００１】
本発明は、前方の物体の観察と同時に、略側方の物体の観察を行うことが可能な光学素子を有する光学ユニットに関する。
【背景技術】
【０００２】
従来から、前方の物体と略側方の物体とを同時に観察するための光学系と、その光学系を保持する鏡筒と、ＣＣＤ（ Charge Coupled Device ）やＣＭＯＳ（ Complementary Metal-Oxide Semiconductor ）等の撮像素子と、を備えた光学ユニットが知られている。そして、そのような光学ユニットの一例が、特許文献１に記載されている。なお、略側方とは、光学系自体の側方だけではなく、光学系の斜め前方や斜め後方も含むものとする。
【０００３】
そして、特許文献１に記載されている光学ユニットは、図７に示すように、略側方の物体からの光ＬＲsが、透光性匡体２６を透過した後に、凸型回転体ミラー２４により反射され、レンズ２８に入射する構成となっている。
【先行技術文献】
【特許文献】
【０００４】
【特許文献１】特開２００２−２３３４９４号公報
【発明の概要】
【発明が解決しようとする課題】
【０００５】
しかし、特許文献１に記載されている構成の光学ユニットにおいては、凸型回転体ミラー２４により反射された光は、その全てが光ＬＲs1のようにレンズ２８に入射するわけではなく、光ＬＲs2のように透光性匡体２６に向かう場合がある。そのような光ＬＲs2は、透光性匡体２６の内面において反射されるため、迷光となる。そして、そのような迷光がレンズ２８に入射して撮像素子３１に到達すると、フレアーやゴーストが発生するという問題があった。
【０００６】
本発明は、このような従来技術の問題点に鑑みてなされたものであり、その目的とするところは、略側方の物体側からの光に起因する迷光を効果的に遮断し、フレアーやゴーストの発生を抑えることのできる光学ユニットを提供することである。
【課題を解決するための手段】
【０００７】
上記の目的を達成するために、本発明の光学ユニットは、前方の物体と略側方の物体とを観察するための光学系と、前記光学系を保持する鏡筒と、撮像素子と、を備えた光学ユニットにおいて、前記光学系が、反射屈折光学素子を有するレンズ群と、該反射屈折光学素子を有するレンズ群よりも像側に配置されていて開口絞りを有するレンズ群と、を含んでおり、前記反射屈折光学素子は、前方の物体側に形成された第一面と、像側に形成された第二面と、前記第一面と前記第二面との間において全周面にわたって形成された第三面と、を有しており、前記第一面は、光軸を中心に形成された第一透過面と、該第一透過面の周囲に環状に形成され像側を向いた第一反射面と、を含んでおり、前記第二面は、光軸を中心に形成された第二透過面と、該第二透過面の周囲に環状に形成され前方の物体側を向いた第二反射面と、を含んでおり、前記第三面は、透過面であり、前記開口絞りの近傍には、遮光性材料により形成されていて、前記開口絞りの内径よりも大きく前記鏡筒の内径よりも小さい内径を有する環状の遮光部材を備えていることを特徴とする。
【０００８】
また、本発明の光学ユニットは、前方の物体側からの光は、前記第一透過面に入射した後に、前記第二透過面から像側へ出射され、略側方の物体側からの光は、前記第三面に入射した後に、前記第二反射面と前記第一反射面とで順に反射され、前記第二透過面から像側へ出射されることが好ましい。
【０００９】
また、本発明の光学ユニットは、前記反射屈折光学素子を有するレンズ群の前方の物体側に、負の屈折力を持つレンズ群が配置されており、前記反射屈折光学素子を有するレンズ群よりも像側に配置されたレンズ群が、正の屈折力を持つことが好ましい。
【００１０】
また、本発明の光学ユニットは、前記開口絞りと、前記遮光部材とが一体的に形成されていることが好ましい。
【００１１】
また、本発明の光学ユニットは、前記鏡筒の外周面と、前記第三面と、により外周面が構成されていることが好ましい。
【００１２】
また、本発明の光学ユニットは、前記撮像素子が、前記鏡筒に保持されていることが好ましい。
【００１３】
また、本発明の光学ユニットは、前記鏡筒が、前記反射屈折光学素子よりも像側に配置されたレンズ群を保持する内筒と、該内筒を保持する外筒とからなり、前記遮光部材が、前記内筒と一体的に形成されていることが好ましい。
【００１４】
なお、前記鏡筒が、本発明の光学ユニットは、前記鏡筒が、遮光性材料により形成されていることが好ましい。
【００１５】
さらに、本発明の光学ユニットは、前記遮光部材の外径が、前記鏡筒の内径と略一致していることが好ましい。
【発明の効果】
【００１６】
本発明によれば、略側方の物体側からの光に起因する迷光を効果的に遮断し、フレアーやゴーストの発生を抑えることのできる光学ユニットを提供することができる。
【図面の簡単な説明】
【００１７】
【図１】実施例１に係る光学ユニットを示す模式図である。
【図２】図１に示された光学ユニットの光学系に含まれる反射屈折光学素子を示す模式図である。
【図３】実施例２に係る光学ユニットを示す模式図である。
【図４】実施例３に係る光学ユニットを示す模式図である。
【図５】実施例４に係る光学ユニットを示す模式図である。
【図６】実施例５に係る光学ユニットを示す模式図である。
【図７】従来の光学ユニットを示す模式図である。
【発明を実施するための形態】
【００１８】
以下、本発明の実施の形態について、詳細に説明する。
【実施例１】
【００１９】
まず、図１を用いて実施例１に係る光学ユニットについて詳細に説明する。
【００２０】
この光学ユニットは、３つのレンズ群からなる光学系と、その光学系中に挿入された環状の遮光部材と、その光学系により撮像面上に像が形成される撮像素子と、それらの光学系と遮光部材と撮像素子を保持する鏡筒とを備えている。
【００２１】
次に、この光学ユニットに含まれる光学系について説明する。
【００２２】
この光学系は、前方の物体側から順に、負の屈折力を持つ第一レンズ群ＬＧ1と、第二レンズ群ＬＧ2と、正の屈折力を持つ第三レンズ群ＬＧ3とにより構成されている。なお、第三レンズ群ＬＧ3は、開口絞りＳを有している。
【００２３】
そして、この光学系に入射する光のうち、前方の物体側からの光は、第一レンズ群ＬＧ1、第二レンズ群ＬＧ2、第三レンズ群ＬＧ3の順に入射する。一方、略側方の物体側からの光は、第二レンズ群ＬＧ2、第三レンズ群ＬＧ3の順に入射する。
【００２４】
また、この光学系は、前方の物体側からの光に対しても、略側方の物体側からの光に対しても、レトロフォーカスタイプの光学系となるように構成されている。このような構成をとることによって、観察画角を大きくすることができる。
【００２５】
第一レンズ群ＬＧ1は、像側に凹面を向けた平凹レンズであるレンズＬ11により構成されている。
【００２６】
第二レンズ群ＬＧ2は、前方の物体側から順に、反射屈折光学素子であるレンズＬ21と、前方の物体側に凸面を向けた負のメニスカスレンズであるレンズＬ22との接合レンズにより構成されている。なお、反射屈折光学素子とは、光の反射作用と屈折作用とを利用する光学素子を意味する。
【００２７】
第三レンズ群ＬＧ3は、前方の物体側から順に、平レンズであるレンズＬ31と、像側に凸面を向けた平凸レンズであるレンズＬ32と、両凸レンズであるレンズＬ33と、両凹レンズであるレンズＬ34と、像側の面が非球面である両凸レンズであるレンズＬ35と、平レンズであるＬ36とにより構成されている。なお、レンズＬ31の前方の物体側には、レンズＬ31と一体的に、開口絞りＳが設けられている。また、レンズＬ33と両凹レンズであるレンズＬ34とは、接合されており、接合レンズを構成している。
【００２８】
ここで、図２を用いて前方の物体と略側方の物体の観察を同時に行うための反射屈折光学素子であるレンズＬ21について詳細に説明する。
【００２９】
このレンズＬ21は、第一面Ｌ21ａと、第二面Ｌ21ｂと、第三面Ｌ21ｃと、第一取付部Ｌ21ｄと、第二取付部Ｌ21ｅとを有している。
【００３０】
第一面Ｌ21ａは、レンズＬ21の前方の物体側に形成されている。この第一面Ｌ21ａは、光軸を中心に形成されている第一透過面Ｌ21ａ1と、像側に向いていて第一透過面Ｌ21ａ1の周囲に環状に形成されている第一反射面Ｌ21ａ2とを有している。
【００３１】
第二面Ｌ21ｂは、レンズＬ21の像側に形成されている。この第二面Ｌ21ｂは、光軸を中心に形成されている第二透過面Ｌ21ｂ1と、前方の物体側を向いていて第二透過面Ｌ21ｂ1の周囲に環状に形成されている第二反射面Ｌ21ｂ2とを有している。
【００３２】
第三面Ｌ21ｃは、第一面Ｌ21ａと第二面Ｌ21ｂとの間に、全周面にわたって形成されている筒状の透過面である。
【００３３】
第一取付部Ｌ21ｄは、第一反射面Ｌ21ａ2と第三面Ｌ21ｃとの間に形成されている。この第一取付部Ｌ21ｄは、光軸を中心とした筒状の面Ｌ21ｄ1と、光軸と略垂直な環状の面Ｌ21ｄ2とを有していて、それらにより階段状となっている。
【００３４】
第二取付部Ｌ21ｅは、第二反射面Ｌ21ｂ2と第三面Ｌ21ｃとの間に形成された、光軸と略垂直な環状の面である。
【００３５】
なお、第一反射面Ｌ21ａ2や第二反射面Ｌ21ｂ2は、蒸着法により形成されている。具体的には、例えば、第一透過面Ｌ21ａ1に、第一透過面Ｌ21ａ1と同形状のマスクをした上で、第一面Ｌ21ａ全体に対してミラーコーティングを施し、その後該マスクを剥がす。このような方法を用いれば、マスクされた部分はミラーコーティングされないため、第一反射面Ｌ21ａ2を形成した後でも、第一透過面Ｌ21ａ1を透過面として用いることができる。
【００３６】
また、レンズＬ21は、第一取付部Ｌ21ｄと、第二取付部Ｌ21ｅにおいて鏡筒に取り付けられる。
【００３７】
次に、図１及び図２を用いて、光学系と遮光部材と撮像素子を保持する鏡筒について説明する。なお、図中では、撮像素子については、撮像面ＩＰのみを記載している。
【００３８】
この鏡筒は、第一鏡筒Ｔ1と、第二鏡筒Ｔ2とにより構成されている。
【００３９】
第一鏡筒Ｔ1は、第一レンズ群ＬＧ1と第二レンズ群ＬＧ2を保持している。より具体的には、第一鏡筒Ｔ1は、その内部に第一レンズ群ＬＧ1を保持している。また、第一鏡筒Ｔ1は、その像側に、反射屈折光学素子であるレンズＬ21の第一取付部Ｌ21ｄを取り付けて、レンズＬ21を保持している。すなわち、第一鏡筒Ｔ1の内周面の一部は、レンズＬ11の周面と接触している。また、第一鏡筒Ｔ1の内周面の一部及び像側の面が、第一取付部Ｌ21ｄと接触している。
【００４０】
一方、第二鏡筒Ｔ2は、第二レンズ群ＬＧ2と、遮光部材Ｆと、第三レンズ群ＬＧ3と、撮像素子を保持している。より具体的には、第二鏡筒Ｔ2は、その前方の物体側の端面に、反射屈折光学部材であるレンズＬ21の第二取付部Ｌ21ｅを取り付けて、レンズＬ21を保持している。また、第二鏡筒Ｔ2は、その内部に、レンズＬ22を保持している。すなわち、第二鏡筒Ｔ2の内周面の一部は、レンズＬ22の周面と接触している。また、第二鏡筒Ｔ2の前方の物体側の面が、第二取付部Ｌ21ｅと接触している。
【００４１】
このように、本実施例の光学ユニットは、反射屈折光学素子であるレンズＬ21に、鏡筒に取り付けるための取付部を設けて、反射屈折光学素子であるレンズＬ21を鏡筒に直接取り付けている。そのため、本実施例の光学ユニットは、従来の光学ユニットのように光学系のレンズの径よりも大きな保持部材を設ける必要はなく、従来の光学ユニットに比べ、装置全体を小型化することができる。
【００４２】
なお、第一鏡筒Ｔ1と第二鏡筒Ｔ2は、それらの外周面が、レンズＬ21の第三面の外周面と略一致するように形成されている。そして、これらの面により、光学ユニットの外周面が形成されている。
【００４３】
次に、図１及び図２を用いて、光学系中に挿入された環状の遮光部材Ｆについて説明する。
【００４４】
この環状の遮光部材Ｆは、開口絞りＳよりも物体側に配置されている。また、遮光部材Ｆの内径は、開口絞りＳの内径よりも大きくなるように形成されている。
【００４５】
なお、この遮光部材Ｆは遮光性材料により形成されている。また、この遮光部材Ｆの外径は、第二鏡筒Ｔ2の内径と略一致するように形成されており、隙間のできないように第二鏡筒Ｔ2に嵌め込まれ、遮光性の接着剤により固定されている。
【００４６】
次に、図１及び図２を用いて、光学ユニットの光学系に入射した光の辿る経路を説明する。光学ユニットの光学系に入射する光のうち、前方の物体側から入射する光ＬＲfは、まず、レンズＬ11を通過する。そして、レンズＬ11を通過した光ＬＲfは、レンズＬ21の第一面Ｌ21ａの第一透過面Ｌ21ａ1に入射する。その後、第一透過面Ｌ21ａ1に入射した光ＬＲfは、レンズＬ21の第二面Ｌ21ｂの第二透過面Ｌ21ｂ1から出射されてレンズＬ22に入射する。レンズＬ22から出射された光ＬＲfは、レンズＬ31、レンズＬ32、レンズＬ33、レンズＬ34、レンズＬ35を順に通過し、撮像素子に入射する。それによって、前方の物体の像が撮像素子の撮像面ＩＰ上に結像する。
【００４７】
一方、光学ユニットの光学系に入射する光のうち、略側方の物体側から入射する光ＬＲSは、まず、レンズＬ21の第三面Ｌ21ｃに入射する。そして、第三面Ｌ21ｃに入射した光ＬＲSは、レンズＬ21の第二面Ｌ21ｂの第二反射面Ｌ21ｂ2で物体側に反射される。その後、第二反射面Ｌ21ｂ2で反射された光ＬＲSは、レンズＬ21の第一面Ｌ21ａの第一反射面Ｌ21ａ2で像側に反射される。さらに、その後、第二反射面Ｌ21ａ2で反射された光ＬＲSは、レンズＬ21の第二面Ｌ21ｂの第二透過面Ｌ21ｂ1から出射されてレンズＬ22に入射する。レンズＬ22から出射された光ＬＲSは、レンズＬ22，レンズＬ31、レンズＬ32、レンズＬ33、レンズＬ34、レンズＬ35を順に通過し、撮像素子に入射する。それによって、略側方の物体の像が撮像素子の撮像面ＩＰ上に結像する。
【００４８】
このように、本実施例の光学ユニットは、反射屈折光学素子であるレンズＬ21を用いて、前方の物体の観察と同時に、略側方の物体の観察を行うことが可能な光学系を構成しているため、従来の光学ユニットに比べ、光学系の内部における迷光の発生を抑えることができる。すなわち、遮光性材料により形成された遮光部材Ｆが、反射屈折光学素子であるレンズＬ21を含む第二レンズ群ＬＧ2よりも像側に配置されている第三レンズ群ＬＧ3中に配置されているため、遮光部材Ｆよりも物体側において発生した迷光は、撮像面ＩＰまで到達しにくく、その結果、フレアーやゴーストを効果的に低減することができる。
【実施例２】
【００４９】
次に、図３を用いて実施例２に係る光学ユニットについて詳細に説明する。なお、本実施例の光学ユニットにおける光学系の構成や、反射屈折光学素子の形状、遮光部材の形状、鏡筒の構成、光学系に入射した光の辿る光路は、実施例１の光学ユニットとほぼ同じであるため、ほぼ同じ構成を有する部材には、同一の符号を付すとともに、それらについての詳細な説明は省略する。
【００５０】
図３に示すように、この光学ユニットは、遮光部材Ｆが、第三レンズ群ＬＧ3の最も物体側のレンズＬ31とその像側のレンズＬ32との間となるように配置されている。このように構成されていても、実施例１の光学ユニットと同様の効果を奏することが可能である。
【実施例３】
【００５１】
次に、図４を用いて実施例３に係る光学ユニットについて詳細に説明する。なお、本実施例の光学ユニットにおける光学系の構成や、反射屈折光学素子の形状、遮光部材の形状、第一鏡筒の形状、光学系に入射した光の辿る光路は、実施例１や実施例２の光学ユニットとほぼ同じであるため、ほぼ同じ構成を有する部材には、同一の符号を付すとともに、それらについての詳細な説明は省略する。
【００５２】
図４に示すように、この光学ユニットの鏡筒を構成する第二鏡筒Ｔ2’は、その内側の形状を、遮光部材Ｆを保持する部分の内径が、像側の内径よりも大きくなるように段差状に形成してある。
【００５３】
このように鏡筒の内部の遮光部材Ｆを保持する部分を段差状に構成したことにより、この光学ユニットは、遮光部材Ｆよりも物体側において発生した迷光が、組み立て誤差等によってできる遮光部材Ｆと鏡筒との隙間から、遮光部材Ｆよりも像側にある第三レンズ群ＬＧ3や撮像素子へ入射しない。このため、さらに効果的に、フレアーやゴーストの発生を低減することができる。また、光学ユニットの組み立ても容易となる。
【実施例４】
【００５４】
次に、図５を用いて実施例４に係る光学ユニットについて詳細に説明する。なお、本実施例の光学ユニットにおける光学系の構成や、反射屈折光学素子の形状、第一鏡筒の形状、光学系に入射した光の辿る光路は、実施例１〜３の光学ユニットとほぼ同じであるため、ほぼ同じ構成を有する部材には、同一の符号を付すとともに、それらについての詳細な説明は省略する。
【００５５】
図５に示すように、この光学ユニットの鏡筒を構成する第二鏡筒Ｔ2”は、外筒Ｔ2”1と、その外筒Ｔ2”1の内部に保持される内筒Ｔ2”2とにより構成されている。また、その内筒Ｔ2”2には、その物体側の端面に、遮光部材Ｆが一体的に形成されている。なお、内筒Ｔ2”2とそれと一体的に形成されている遮光部材Ｆは、いずれも遮光性材料により形成されている。
【００５６】
このように遮光部材Ｆは、第三レンズ群ＬＧ3を保持する内筒Ｔ2”2と一体的に形成されている。これにより、この光学ユニットは、遮光部材Ｆよりも物体側において発生した迷光が、組み立て誤差等によってできる遮光部材Ｆと内筒Ｔ2”2との隙間から、遮光部材Ｆよりも像側にある第三レンズ群ＬＧ3や撮像素子へ入射しない。このため、さらに効果的に、フレアーやゴーストの発生を低減することができる。また、光学ユニットの組み立ても容易となる。また、第三レンズ群ＬＧ3を、他のレンズ群とは別個に組み立てることができるため、光学ユニットの組み立てや光学系の編心調整も容易となる。
【００５７】
なお、本実施例においては、第二鏡筒Ｔ2”を、外筒Ｔ2”1とその外筒Ｔ2”1の内部に保持される内筒Ｔ2”2とにより構成しているが、本実施例の光学ユニットの第二鏡筒Ｔ2”は、そのような構成に限定されるものではなく、３つ以上の部材により構成してもかまわない。
【実施例５】
【００５８】
次に、図６を用いて実施例５に係る光学ユニットについて詳細に説明する。なお、本実施例の光学ユニットにおける光学系の構成や、反射屈折光学素子の形状、第一鏡筒の形状、光学系に入射した光の辿る光路は、実施例１〜４の光学ユニットとほぼ同じであるため、ほぼ同じ構成を有する部材には、同一の符号を付すとともに、それらについての詳細な説明は省略する。
【００５９】
図６に示すように、この光学ユニットの鏡筒を構成する第二鏡筒Ｔ2’’’は、遮光部材Ｆを保持する位置と第三レンズ群ＬＧ3を保持する位置との間に、開口絞りＳが一体的に形成されている。また、第二鏡筒Ｔ2’’’は、その一体的に形成されている開口絞りＳよりも物体側の内径が、像側の内径よりも大きくなるように形成してある。
【００６０】
このように開口絞りＳは、第二鏡筒Ｔ2’’’と一体的に形成されている。これにより、この光学ユニットは、遮光部材Ｆよりも物体側において発生した迷光が、組み立て誤差等によってできる遮光部材Ｆと第二鏡筒Ｔ2’’’との隙間から、遮光部材Ｆよりも像側にある第三レンズ群ＬＧ3や撮像素子へ入射しない。このため、さらに効果的に、フレアーやゴーストの発生を低減することができる。また、光学ユニットの組み立ても容易となる。また、第三レンズ群ＬＧ3を、他のレンズ群とは別個に組み立てることができるため、光学ユニットの組み立てや光学系の編心調整も容易となる。
【００６１】
なお、本発明は、これらの例に限定されるものではなく、上記実施例の種々の組み合わせも本発明に含まれる。
【００６２】
また、上記実施例においては、前方の物体と略側方の物体の観察を同時に行うことの可能な光学系は、３つのレンズ群により構成されているが、本発明の光学ユニットに備えられている光学系は、これらの例に限定されるものではなく、２つのレンズ群又は４つ以上のレンズ群により構成しても良い。
【００６３】
また、本発明の光学ユニットに備えられている光学系のレンズ群を構成するレンズは、上記実施例により示された形状や枚数に限定されるものではなく、反射屈折光学素子を含む種々の光学系も含まれる。
【００６４】
また、上記実施例においては配置されていないが、光学系と撮像素子との間に、ＩＲカットコートを施したローパスフィルターや、ＣＣＤカバーガラス等を配置しても良い。
【００６５】
また、上記実施例においては、反射屈折光学素子の第三面は、前方の物体側の径と像側の径とが、略一致するような形状なっているが、前方の物体側の径よりも像側の径が大きい形状のものや、前方の物体側の径よりも像側の径が小さい形状のものを用いても良い。なお、ここで、前方の物体側の径とは、第三面における最も前方の物体側の位置での、光軸に垂直な面内における径を言い、像側の径とは、第三面における最も像側の位置での、光軸に垂直な面内における径を言う。
【００６６】
また、上記実施例においては、第一反射面や第二反射面を、蒸着法により形成しているが、その形成方法は、上記の方法に限定されるものではない。
【００６７】
また、上記実施例においては、遮光部材を、第三レンズ群中において、最も物体側に配置したり、最も物体側のレンズの像側に配置したりしているが、その配置位置は、上記の位置に限定されるものではない。なお、フレアーやゴーストの抑制効果を高めるためには、第三レンズ群の最も像側のレンズよりも、物体側の位置に配置することが好ましい。
【符号の説明】
【００６８】
Ｆ             遮光部材
ＩＰ           撮像面
ＬＧ1          第一レンズ群
ＬＧ2          第二レンズ群
ＬＧ3          第三レンズ群
ＬＲf，ＬＲS，ＬＲS1，ＬＲS2       光
Ｌ11，Ｌ21，Ｌ22，Ｌ31，Ｌ32，Ｌ33，Ｌ34，Ｌ35，Ｌ36，２８          レンズ
Ｌ21ａ         第一面
Ｌ21ａ1        第一透過面
Ｌ21ａ2        第一反射面
Ｌ21ｂ         第二面
Ｌ21ｂ1        第二透過面
Ｌ21ｂ2        第二反射面
Ｌ21ｃ         第三面
Ｌ21ｄ         第一取付部
Ｌ21ｄ1        筒状の面
Ｌ21ｄ2        環状の面
Ｌ21ｅ         第二取付部
Ｓ             開口絞り
Ｔ1            第一鏡筒
Ｔ2，Ｔ2’，Ｔ2”，Ｔ2’’’       第二鏡筒
Ｔ2”1         外筒
Ｔ2”2         内筒
２４           凸型回転体ミラー
２６           透光性匡体
３１           撮像素子
【図１】
2010256472.tif 000003
【図２】
2010256472.tif 000004
【図３】
2010256472.tif 000005
【図４】
2010256472.tif 000006
【図５】
2010256472.tif 000007
【図６】
2010256472.tif 000008
【図７】
2010256472.tif 000009